(57)【特許請求の範囲】
【請求項１】
多数の弦が張設されるフレームと、
前記フレームに設けられ、前記張設された弦をそのフォアストリングス長さおよびバックストリングス長さをそれぞれ定めるように押圧するフォア側弦枕およびバック側弦枕と、を備え、
前記フォア側弦枕および前記バック側弦枕の少なくとも一方は、前記弦を押圧する本体部と、前記本体部を前記フレームに前後方向に移動自在に支持するとともに、上下方向に位置決めする支持機構と、を有することを特徴とするピアノの張弦装置。
【請求項２】
前記支持機構は、
前記本体部に上下方向に進退自在にねじこまれた調整ねじと、
前記調整ねじの下端部に上下方向に移動不能に設けられ、前記フレームの上面に前記本体部を支持する転動自在のボールと、を有することを特徴とする、請求項１に記載のピアノの張弦装置。
【発明の詳細な説明】
【０００１】
【発明の属する技術分野】
本発明は、フレームに張設された弦をそのフォアストリングス長さおよびバックストリングス長さを定めるように押圧するフォア側弦枕およびバック側弦枕を備えるピアノの張弦装置に関する。
【０００２】
【従来の技術】
図１０は、従来のグランドピアノの一般的な張弦装置を、その高音部について示したものである。フレーム６１は、一体の鋳造品で構成されており、その前端部側（同図の左端部）および後端部側には、多数のチューニングピン６２および多数のヒッチピン６３が設けられている。これら多数のチューニングピン６２とヒッチピン６３との間には、ピアノの各鍵（図示せず）に対応して多数の弦Ｓが張設されており、各弦Ｓは、チューニングピン６２側から順に配置された弦枕６４、カポ・ダストロ・バー６５、長駒６６、および三角枕６７によって、上下方向に押圧されている。
【０００３】
弦枕６４は、断面が半円状、あるいは三角形状になっており、フレーム６１から上方に突出した状態で一体に設けられている。カポ・ダストロ・バー６５は、フレーム６１から下方に突出した状態で一体に設けられている。三角枕６７は、フレーム６１の上面のヒッチピン６３付近に載置されている。この三角枕６７は、例えば真鍮によって断面が三角形状に形成され、一定の所定の高さを有し、張弦された弦Ｓの張力で上方から押さえつけられた状態で取り付けられている。長駒６６は、その上面がカポ・ダストロ・バー６５の下端と三角枕６７の上端とを結ぶ仮想線よりも上方に突出するように設けられている。
【０００４】
弦Ｓは、弦枕６４で上こじを与えられ（上方に押圧され）、カポ・ダストロ・バー６５で下こじを与えられ、長駒６６に載り、その上面の前後の駒ピン６６ａ、６６ｂに係合するとともに、三角枕６７で上こじを与えられた状態で張設されている。そして、このように張設された弦Ｓを、対応する鍵盤（図示せず）の押鍵に伴い、カポ・ダストロ・バー６５と長駒６６の前側の駒ピン６６ａとの間の所定位置で、ハンマー６８により下方から打弦することによって振動させ、この振動が長駒６６を介して響板６９に伝達されることで、ピアノ音が発生する。このように、カポ・ダストロ・バー６５および長駒６６の前側の駒ピン６６ａによって、弦Ｓのうちの本来の発音部分であるスピーキングレングス（弦長）ＳＬが定められる。
【０００５】
また、上記のように設けられた弦枕６４およびカポ・ダストロ・バー６５によって、弦Ｓのフォアストリングス長さＦＬが定められることで、フォアアリコートが構成され、長駒６６の後ろ側の駒ピン６６ｂおよび三角枕６７によってバックストリングス長さＢＬが定められることで、バックアリコートが構成される。これらのフォアストリングス長さＦＬおよびバックストリングス長さＢＬとスピーキングレングスＳＬとの比率は、それぞれ整数比になるように設定され、それにより本来の弦Ｓの発音部分との共振による倍音を豊かにすることで、豊かな音色を得るようにしている。従来、このバックストリングス長さＢＬの調整は、張弦した状態で、三角枕６７の側面などをハンマーなどの工具で直接たたき、三角枕６７の前後方向の位置を調節することによって行われている。
【０００６】
また、弦Ｓの振動エネルギを効果的に響板６９に伝達させるために、弦Ｓによる長駒６６の押圧力を最適にすべく、三角枕６７、カポ・ダストロ・バー６５および長駒６６を、所定の高さ関係にすることが必要である。この高さ関係の調整は、長駒６６の上面と上記仮想線との張弦前におけるレベル差を「駒圧」と定義し、従来は主として、この駒圧が設計値になるように、長駒６６の上面を削ることによって、行われる。
【０００７】
また、弦枕６４が低すぎると、フォアストリングス長さＦＬの値が不明確になり、高すぎると、弦Ｓの張力が強くなり、断線が生じるおそれがあることから、弦枕６４の高さについても調整が行われる。この調整は、従来、フレーム６１の鋳造後、手作業により、弦枕６４の上面を切削することによって行われている。
【０００８】
【発明が解決しようとする課題】
上記従来の張弦装置では、弦枕６４およびカポ・ダストロ・バー６５がフレーム６１と一体に鋳造されるので、フォアストリングス長さＦＬはフレームの成形精度で定まってしまい、その長さを調整することができない。また、弦枕６４の高さを調整するための手作業による切削作業も煩雑である。
【０００９】
また、三角枕６７の位置決め、すなわちバックストリングス長さＢＬの調整は、弦Ｓの張弦後、三角枕６７がフレーム６１に面接触している状態で行われるので、フレーム６１との間の摩擦が大きく、三角枕６７を移動させにくいため、その調整作業は非常に煩雑になってしまう。さらに、この調整は、移動しにくい状態にある三角枕６７の側面などを工具で直接たたくことによって行われるので、三角枕６７にへこみが生じるとともに、フレーム６１も誤ってたたいてしまうことで、フレーム６１の塗膜に割れが発生するおそれがある。また、三角枕６７自体の高さは一定であり、長駒６６の上面を削ることによって駒圧を調整しているため、その作業は非常に煩雑である。
【００１０】
本発明は、このような課題を解決するためになされたものであり、フォアストリングス長さおよび／またはバックストリングス長さ、ならびにフォア側弦枕および／またはバック側弦枕における弦の高さの調整を、容易に精度良く行うことができるピアノの張弦装置を提供することを目的とする。
【課題を解決するための手段】
【００１１】
上記目的を達成するため、請求項１による本発明のピアノの張弦装置は、多数の弦が張設されるフレームと、フレームに設けられ、張設された弦をそのフォアストリングス長さおよびバックストリングス長さをそれぞれ定めるように押圧するフォア側弦枕およびバック側弦枕と、を備え、フォア側弦枕およびバック側弦枕の少なくとも一方は、弦を押圧する本体部と、本体部をフレームに前後方向に移動自在に支持するとともに、上下方向に位置決めする支持機構と、を有することを特徴とする。
【００１２】
このピアノの張弦装置によれば、フォア側弦枕および／またはバック側弦枕において、弦を押圧する本体部が、支持機構によって、フレームの前後方向に移動自在に支持されるとともに、上下方向に位置決めされている。このため、フォア側弦枕がそのように構成されている場合には、フレームと一体に設けられた従来の弦枕と異なり、支持機構によって本体部を前後方向に移動させることにより、フォアストリングス長さを調整できるので、所望のフォアストリングス長さを得ることができる。また、支持機構によって本体部を上下方向に位置決めすることにより、フォア側弦枕の高さを所望の高さに調整することができる。同様に、バック側弦枕が上述のように構成されている場合には、本体部を前後方向に移動させることにより、バックストリングス長さを所望の長さに調整することができる。また、本体部を上下方向に位置決めすることにより、バック側弦枕の高さを調整できるので、駒を削ることなく、設計値の駒圧を容易に得ることができる。
【００１３】
この場合、支持機構は、本体部に上下方向に進退自在にねじこまれた調整ねじと、調整ねじの下端部に上下方向に移動不能に設けられ、フレームの上面に本体部を支持する転動自在のボールと、を有することが好ましい。
【００１４】
この構成によれば、転動自在のボールによって本体部がフレームに支持されている。このため、張弦後においてもボールによって摩擦の少ない状態でフォア側弦枕および／またはバック側弦枕を容易に前後方向に移動させることができるので、フォアストリングス長さおよび／またはバックストリングス長さを容易に精度よく調整することができる。また、本体部にねじこまれた調整ねじを回すことによって、本体部が、調整ねじおよびこれに移動不能に設けられたボールに対して相対的に上下方向に移動することによって、位置決めされる。このように、調整ねじによって本体部を上下方向に無段階で位置決めできるので、フォア側弦枕および／またはバック側弦枕の高さを容易に精度よく調整することができる。
【００１５】
【発明の実施の形態】
以下、図面を参照しながら、本発明の好ましい実施形態を、詳細に説明する。図１は、本発明の第１実施形態によるグランドピアノの張弦装置を、その高音部について示している。この図に示すように、この張弦装置の基本的な構成は、前述した従来の張弦装置とほぼ同じである。すなわち、フレーム１は一体の鋳造品で構成されており、その前端部（同図の左端部）および後端部に、多数のチューニングピン２およびヒッチピン３（同図には各１本のみ図示）が植え込まれていて、これらのピン２、３の間に弦Ｓがそれぞれ張られている。弦Ｓは、高音部においては、１つの鍵盤（図示せず）あたり３本ずつ、設けられており（同図には１本のみ図示）、これら３本の弦Ｓが１組の弦Ｓを構成する。各弦Ｓは、チューニングピン２側から順に配置されたフォア側弦枕４、カポ・ダストロ・バー５、長駒６、およびバック側弦枕７によって、上下方向に押圧されている。フォア側弦枕４は、チューニングピン２とカポ・ダストロ・バー５との間の中間に、バック側弦枕７は、ヒッチピン３よりも少し前側に、それぞれ位置して、フレーム１の上面に載置されている。
【００１６】
図２〜図４は、フォア側弦枕４およびバック側弦枕７を示しており、同図に示すように、両者４および７は、互いに同じ構成を有している。フォア側弦枕４およびバック側弦枕７は、１組の弦Ｓを押圧する本体部２１と、本体部２１をフレーム１に前後および左右方向に移動自在に支持し、上下方向に位置決めする左右１対の支持機構２２、２２とによって構成されている。この本体部２１は、ベース２３と、このベース２３から上方に突出し、弦Ｓが張られる枕部２４とによって構成されており、例えば真鍮などのダイキャストによって、あるいは、あらかじめ成形したベース２３と枕部２４とのロー付けなどによって形成されている。ベース２３は、高さの低い直方体状に形成されており、その左右端部の中央部には、上下方向に貫通するねじ孔２５、２５が、それぞれ設けられている。さらに、ベース２３の下面の左右端部には、支持機構２２を収容する凹部２６、２６が形成されている。各凹部２６は、ねじ孔２５の前後方向の両側に延び、角孔状に形成されている。また、枕部２４は、断面が三角形状に形成され、ねじ孔２５，２５の間に配置されている。
【００１７】
各支持機構２２は、本体部２１から下方に部分的に突出し、フレーム１にボール２７ａを介して当接する支持板２７と、本体部２１のねじ孔２５にねじ込まれた調整ねじ２８とを備えている。この支持板２７は、前後方向に延びる細長い直方形状のもので、凹部２６に収容されており、その下面の前後の端部には、ボール２７ａ、２７ａがそれぞれ転動自在に設けられている。支持板２７の中央部には、上下方向に貫通する取り付け孔２７ｂが設けられている。一方、調整ねじ２８は、ねじ孔２５にねじ込まれた太径の第１ねじ部２８ａと、その先端側のより小径の第２ねじ部２８ｂとによって構成されている。この第２ねじ部２８ｂは、支持板２７の取り付け孔２７ｂに緩く通され、その先端部にロックナット２８ｃが嵌合している。以上の構成により、支持板２７は、調整ねじ２８に対して回転自在であるとともに、支持板２７およびこれに取り付けたボール２７ａは、調整ねじ２８とともに上下方向に移動可能である。したがって、調整ねじ２８を回すことによって、ボール２７ａに対して本体部２１が、相対的に上下方向に移動し、それによって、フレーム１に載置されたフォア側弦枕４およびバック側弦枕７の高さを任意に調整することができる。
【００１８】
カポダストロバー５は、左右方向に延び、下方に突出するようにフレーム１と一体に形成されている。カポダストロバー５の下面には、断面逆三角形のベアリング５ａが突出して形成されており、このベアリング５ａは、例えば、フレーム１の鋳造後、これをＮＣ機械で切削加工することによって形成される。
【００１９】
長駒６は、響板８の上面に接着され、左右方向に延びており、その上面に多数の駒ピン６ａ、６ｂが取り付けられている。
【００２０】
弦Ｓは、従来と同様、弦枕４で上こじを与えられ、カポ・ダストロ・バー５で下こじを与えられ、長駒６に載り、その上面の前後の駒ピン６ａ、６ｂに係合するとともに、三角枕７で上こじを与えられた状態で、張設されている。そして、このように張設された弦Ｓを、対応する鍵盤（図示せず）の押鍵に伴い、カポ・ダストロ・バー５と長駒６の前側の駒ピン６ａとの間の所定位置で、ハンマー９により下方から打弦することによって振動させ、この振動が長駒６を介して響板８に伝達されることで、ピアノ音が発生する。
【００２１】
以上の構成の張弦装置によれば、支持機構２２のボール２７ａを介してフォア側弦枕４をフレーム１上で前後方向に移動させることによって、フレームと一体に設けられていた従来の弦枕と異なり、フォアストリングス長さＦＬを無段階に連続的に調整できる。同様に、バック側弦枕７を前後方向に移動させることによって、バックストリングス長さＢＬも調整することができる。これらの場合、フォア側弦枕４およびバック側弦枕７を、ボール２７ａを介して、張弦後においても摩擦の少ない状態で容易に移動させることができる。したがって、フォアストリングス長さＦＬおよびバックストリングス長さＢＬを容易に精度よく調整することができる。また、フォア側弦枕４およびバック側弦枕７をフレーム１上で回すことによって、各組の弦Ｓごとに、弦Ｓのフォアストリングス長さＦＬおよびバックストリングス長さＢＬを均一にそろえることができる。以上の結果、フォアアリコートおよびバックアリコートによる豊かな音色を得ることができる。
【００２２】
また、バック側弦枕７の調整ねじ２８を回すことによって、本体部２１を上下方向に移動させることができる。それにより、バック側弦枕７の高さを容易に精度よく調整することができるので、長駒６を削ることなく、設計値の駒圧を容易にかつ確実に得ることができる。同様に、フォア側弦枕４の調整ねじ２８を回すことによって、その高さを最適な高さに精度良く調整することができる。
【００２３】
図５および図６は、本発明の第２実施形態によるフォア側弦枕３１およびバック側弦枕３２を示しており、同図に示すように、両者３１および３２は互いに同じ構成を有している。また、フォア側弦枕３１およびバック側弦枕３２は、第１実施形態のフォア側弦枕４およびバック側弦枕７と比較し、その基本的な構成は同じである一方、本体部３３のベース３４の四隅に形成したねじ孔３４ａに、その上方から調整ねじ３５がねじこまれ、ベース３４から突出した調整ねじ３５の下端部に、転動自在のボール３６が設けられている点で異なっている。
【００２４】
このように、フォア側弦枕３１およびバック側弦枕３２は、調整ねじ３５の下端部に設けられたボール３６を介してフレーム１に支持されている。このため、第１実施形態のフォア側弦枕４およびバック側弦枕７と同様に、張弦後においても摩擦の少ない状態で、フォア側弦枕３１およびバック側弦枕３２を前後および左右方向に移動させることができる。また、調整ねじ３５を回すことによって、上下方向に無段階で本体部３３の高さを位置決めできる。したがって、第１実施形態による上述した効果を同様に得ることができる。
【００２５】
図７および図８は、本発明の第３実施形態によるバック側弦枕４１を示している。これらの図に示すように、バック側弦枕４１は、複数組の弦Ｓを載置し押圧するものである。バック側弦枕４１は、弦Ｓを押圧する本体部４２と、本体部４２をフレーム１に前後および左右方向に移動自在に支持し、上下方向に位置決めする複数の（この例では６個の）支持機構４３とによって構成されている。本体部４２は、ベース４４と、このベース４４から上方に突出し、各組の弦Ｓが張られる複数の（この例では６個の）枕部４７とによって構成されており、これらは鋳造で一体成形されている。ベース４４は、互いに平行な左右の直線部と、両直線部の端間を斜めに結ぶ前後の曲線部とによって囲まれた所定の形状を有しており、ベース４４の左右の端部および中央部の各前後２か所に計６個のねじ孔４５が、上下方向に貫通するように設けられている（図８に前側の３個のみ図示）。ベース４４の上面のねじ孔４５付近には、位置決め用凹部４６が設けられている。
【００２６】
また、６個の枕部４７は、ベース４４の上面の各所定位置に左右方向に斜めに並ぶように設けられており、互いに同じ形状および寸法を有している。枕部４７は、断面が三角形状に形成されており、断面三角形の頂部が互いに平行になるように配置されている。
【００２７】
また、支持機構４３は、本体部４２のねじ孔４５にねじ込まれた調整ねじ４８と、この調整ねじ４８の下端部に転動自在に設けられ、本体部４２をフレーム１に支持するボール４９とを備えている。
【００２８】
このように、バック側弦枕４１は、支持機構４３のボール４９を介して、フレーム１に支持されている。このため、第１実施形態のバック側弦枕７と同様に、張弦後においても、摩擦の少ない状態でバック側弦枕４１を前後および左右方向に、移動させることができる。また、調整ねじ４８を回すことによって、本体部４２の高さを、上下方向に無段階に位置決めできる。したがって、第１および第２実施形態のバック側弦枕７による前述した効果を同様に得ることができる。さらに、ベース４４の上面に設けた位置決め用凹部４６に、ポンチのような工具を当てて、ハンマーなどでたたくことによって、バック側弦枕４１を移動させることができる。したがって、バック側弦枕４１を移動させる際に、従来と異なり、枕部４７を工具で直接たたくおそれがないので、これを変形させずにすみ、また、フレーム１を誤ってたたくこともないので、フレーム１の塗膜に割れが発生するのを防止できる。
【００２９】
また、図９は、第１実施形態の変形例を示しており、この例は、フレーム１の表面に形成した溝５１内に、フォア側弦枕４および／またはバック側弦枕７を収容したものである。この溝５１の左右方向の長さは、本体部２１のそれよりも少しだけ長く設定される一方、前後方向（図面の奥行き方向）の長さは、本体部２１のそれよりもかなり長い所定の長さに設定されている。したがって、この溝５１によって、フォア側弦枕４およびバック側弦枕７を、その左右方向の移動を規制しながら、前後方向に移動させることができ、フォアストリングス長さＦＬおよび／またはバックストリングス長さＢＬを重点的に調整することができる。
【００３０】
なお、第１および第２実施形態では、フォア側弦枕およびバック側弦枕の双方に本発明を適用しているが、それらのいずれか一方のみに適用してもよく、第３実施形態によるバック側弦枕の構成をフォア側弦枕に適用してもよい。その他、本発明の趣旨の範囲内で、細部の構成を適宜、変更することが可能である。
【００３１】
【発明の効果】
以上のように、本発明のピアノの張弦装置によれば、フォアストリングス長さおよび／またはバックストリングス長さ、ならびにフォア側弦枕および／またはバック側弦枕における弦の高さの調整を、容易に精度良く行うことができるなどの効果を有する。
【図面の簡単な説明】
【図１】本発明の第１実施形態によるグランドピアノの張弦装置をその高音部について示す側断面図である。
【図２】図１のフォア側弦枕の平面図である。
【図３】図２の線Ａ−Ａに沿う断面図である。
【図４】図３の線Ｂ−Ｂに沿う断面図である。
【図５】本発明の第２実施形態によるフォア側弦枕の平面図である。
【図６】本発明の第２実施形態によるフォア側弦枕の側面図である。
【図７】本発明の第３実施形態によるバック側弦枕の平面図である。
【図８】本発明の第３実施形態によるバック側弦枕を設けた部分のフレームの部分正面図である。
【図９】第１実施形態の変形例を示すフォア側弦枕を含むフレームの部分正面図である。
【図１０】従来の張弦装置の、図１に対応する側断面図である。
【符号の説明】
１  フレーム
４  フォア側弦枕
７  バック側弦枕
２１  本体部
２２  支持機構
２８  調整ねじ
２７ａ  ボール
３１  フォア側弦枕
３２  バック側弦枕
３３  本体部
３５  調整ねじ
３６  ボール
４１  バック側弦枕
４２  本体部
４３  支持機構
４８  調整ねじ
４９  ボール
Ｓ  弦
ＦＬ  フォアストリングス長さ
ＢＬ  バックストリングス長さ
【図１】
0003708861.tif 000002
【図２】
0003708861.tif 000003
【図３】
0003708861.tif 000004
【図４】
0003708861.tif 000005
【図５】
0003708861.tif 000006
【図６】
0003708861.tif 000007
【図７】
0003708861.tif 000008
【図８】
0003708861.tif 000009
【図９】
0003708861.tif 000010
【図１０】
0003708861.tif 000011